(57)【要約】      （修正有）【課題】操作部材の操作角が小さく、操作性に優れた車両用サイドテーブル装置を得る。【解決手段】テーブル本体１４を収納位置から使用位置に回動移動させるとき、第一軸１６、第二軸１７及び第三軸１９が一直線上に並ぶ状態を超えて上側リンク１５と下側リンク１８が回動して該テーブル本体が略水平になったとき、上側リンクと下側リンクの同方向への回動を規制するストッパ機構２２Ｓを設け、第一軸と同軸に、該上側リンクとの一定角度の相対回動を可能にして操作部材２２を枢着し、この操作部材を、テーブル本体が使用位置にあるとき、上側リンクとの一方の回動端であって、該操作部材のテーブル本体収納方向への揺動運動が直接上側リンクに伝達される回動端に位置させ、かつ、この操作部材を、テーブル本体が使用位置から収納位置へ移動するとき、上側リンクに対して相対回動させて該上側リンクとの他方の回動端に移動させる車両用サイドテーブル装置。【選択図】      図１
2004182142.tif 000002
【特許請求の範囲】
【請求項１】
車両のシートの側部に固定される固定リンク；この固定リンクの上方に一端部が枢着されたテーブル本体；このテーブル本体の自由端部に第一軸で一端部が枢着された上側リンク；上記固定リンクの下方に第二軸で一端部が枢着された下側リンク；及び上記上側リンクの他端部と上記下側リンクの他端部とを枢着する第三軸；を備え、この上側リンクと下側リンクの回動運動により、テーブル本体を略水平な使用位置と略垂直方向の収納位置とに移動可能とした車両用サイドテーブル装置において、
上記テーブル本体を収納位置から使用位置に回動移動させるとき、第一軸、第二軸及び第三軸が一直線上に並ぶ状態を超えて上側リンクと下側リンクが回動して該テーブル本体が略水平になったとき、上側リンクと下側リンクの同方向への回動を規制するストッパ機構を設け、
上記第一軸と同軸に、該上側リンクとの一定角度の相対回動を可能にして操作部材を枢着し、
この操作部材を、テーブル本体が使用位置にあるとき、上側リンクとの一方の回動端であって、該操作部材のテーブル本体収納方向への揺動運動が直接上側リンクに伝達される回動端に位置させ、
かつ、この操作部材を、テーブル本体が使用位置から収納位置へ移動するとき、上側リンクに対して相対回動させて該上側リンクとの他方の回動端に移動させることを特徴とする車両用サイドテーブル装置。
【請求項２】
請求項１記載の車両用サイドテーブル装置において、上記操作部材は、上記第一軸に固定され該第一軸を中心とする円弧穴を有する揺動プレートと、この揺動プレートに固定された操作レバーとを有し、上側リンクには、この円弧穴に嵌まる連動ピンが固定されていて、該円弧穴と連動ピンの関係により、上記相対回動が可能である車両用サイドテーブル装置。
【請求項３】
請求項２記載の車両用サイドテーブル装置において、操作レバーは、テーブル本体収納方向と反対の方向に回動付勢されていて、その回動端が操作レバーに設けたストッパとテーブル本体下面との当接位置で規制され、この操作レバーのストッパ位置で、該操作レバーのテーブル本体収納方向への回動動作が直接上側リンクに伝達されるように、上記円弧穴の一端部に上側リンクの連動ピンが当接する車両用サイドテーブル装置。
【請求項４】
請求項３記載の車両用サイドテーブル装置において、揺動プレートの円弧穴は、上側リンクがテーブル本体収納方向へ回動するとき、該上側リンクの連動ピンが該円弧穴の他方の回動端に達し、その後、操作レバーが該上側リンクと一緒にテーブル本体下面と当接する方向に引き込まれる長さに形成されている車両用サイドテーブル装置。
【請求項５】
請求項１ないし４のいずれか１項記載の車両用サイドテーブル装置において、テーブル本体の固定リンクとの枢着軸部には、テーブル本体を使用位置方向へ回動付勢するトーションばねが設けられている車両用サイドテーブル装置。
【請求項６】
請求項１ないし５のいずれか１項記載の車両用サイドテーブル装置において、上記第二軸には、下側リンクを使用位置方向へ回動付勢するトーションばねが設けられている車両用サイドテーブル装置。
【請求項７】
請求項１ないし６のいずれか１項記載の車両用サイドテーブル装置において、固定リンク側とテーブル本体側との間には、テーブル本体を収納位置に保持する保持機構が備えられている車両用サイドテーブル装置。
【発明の詳細な説明】
【０００１】
【技術分野】
本発明は、車両用サイドテーブル装置に関する。
【０００２】
【従来技術及びその問題点】
例えばワンボックスカーでは、運転席と助手席の間に、使用状態（水平状態）と収納状態（略垂直状態）とに移動可能なサイドテーブル装置を設けている。このサイドテーブル装置は、例えばシートの側部に固定される固定リンクの上端部にテーブル本体の一端部を枢着し、このテーブル本体の自由端部に上側リンクの一端部を枢着し、この上側リンクの他端部と固定リンクとを下側リンクで枢着して構成できる。
【０００３】
このような基本構造を有するサイドテーブル装置は、例えば上側リンクを回動操作することでテーブル本体を使用位置と収納位置に移動させることができるが、上側リンクに一体に操作レバーを設けると、操作レバーの回動角が大きくなり、操作性が悪い。
【０００４】
【特許文献】
特開１９９５‐３１５０９７号公報
特開１９９８‐２７８６５５号公報
特開２００１‐２４６９７６号公報
【０００５】
【発明の目的】
本発明は、従来装置についての以上の問題意識に基づき、操作部材の操作角が小さく、操作性に優れた車両用サイドテーブル装置を得ることを目的とする。
【０００６】
【発明の概要】
本発明は、車両のシートの側部に固定される固定リンク；この固定リンクの上方に一端部が枢着されたテーブル本体；このテーブル本体の自由端部に第一軸で一端部が枢着された上側リンク；上記固定リンクの下方に第二軸で一端部が枢着された下側リンク；及び上記上側リンクの他端部と上記下側リンクの他端部とを枢着する第三軸；を備え、この上側リンクと下側リンクの回動運動により、テーブル本体を略水平な使用位置と略垂直方向の収納位置とに移動可能とした車両用サイドテーブル装置において、テーブル本体を収納位置から使用位置に回動移動させるとき、第一軸、第二軸及び第三軸が一直線上に並ぶ状態を超えて上側リンクと下側リンクが回動して該テーブル本体が略水平になったとき、上側リンクと下側リンクの同方向への回動を規制するストッパ機構を設け、第一軸と同軸に、該上側リンクとの一定角度の相対回動を可能にして操作部材を枢着し、この操作部材を、テーブル本体が使用位置にあるとき、上側リンクとの一方の回動端であって、該操作部材のテーブル本体収納方向への揺動運動が直接上側リンクに伝達される回動端に位置させ、かつ、この操作部材を、テーブル本体が使用位置から収納位置へ移動するとき、上側リンクに対して相対回動させて該上側リンクとの他方の回動端に移動させることを特徴としている。
【０００７】
この構成によれば、操作部材の回動角を上側リンクの回動角より小さくすることができるので、操作性が向上する。
【０００８】
操作部材は、具体的には、第一軸に固定され該第一軸を中心とする円弧穴を有する揺動プレートと、この揺動プレートに固定された操作レバーとによって構成することができる。そして、上側リンクには、この円弧穴に嵌まる連動ピンを固定すれば、該円弧穴と連動ピンという簡単な構成により、上側リンクと操作部材との相対回動を可能とすることができる。
【０００９】
操作レバーは、例えば、テーブル本体収納方向と反対の方向に回動付勢し、その回動端を操作レバーに設けたストッパとテーブル本体下面との当接位置で規制することができる。そして、この操作レバーのストッパ位置で、円弧穴の一端部に上側リンクの連動ピンを当接させて、操作レバーのテーブル本体収納方向への回動動作を直接上側リンクに伝達する。
【００１０】
揺動プレートの円弧穴は、上側リンクがテーブル本体収納方向へ回動するとき、該上側リンクの連動ピンが該円弧穴の他方の回動端に達し、その後、操作レバーが該上側リンクと一緒にテーブル本体下面と当接する方向に引き込まれる長さに形成すると、操作レバーを確実にテーブル下面に収納して突出させることがない。
【００１１】
テーブル本体の固定リンクとの枢着軸部には、該テーブル本体を使用位置方向へ回動付勢するトーションばねを設けることで、より滑らかにテーブル本体を使用位置へ移動させることができる。同様に、固定リンクと下側リンクとの枢着軸である第二軸には、該下側リンクを使用位置方向へ回動付勢するトーションばねを設けて、テーブル本体がロック位置に容易に移動するようにすることができる。また、固定リンク側とテーブル本体側との間には、テーブル本体を収納位置に保持する保持機構を設けることができる。
【００１２】
【発明の実施形態】
車両の前席のシート（助手席または運転席）１１には、図６に示すように、その側部に前後に位置を異ならせた同一形状の一対の固定リンク１２が平行に固定されている。この一対の固定リンク１２の上端部には軸１３（図１以下参照）でテーブル本体１４が枢着されている。テーブル本体１４は、前後方向に長く、水平な使用位置にしたとき、左右のシート（運転席と助手席）の間の隙間をほぼ塞ぐ程度の幅を有している。
【００１３】
テーブル本体１４の自由端部側には、一対の固定リンク１２の位置と合致させて、一対の上側リンク１５が第一軸１６で枢着されている。上側リンク１５と第一軸１６は相対回動可能である。一対の上側リンク１５は接続板１５ｃ（図２）で接続されている。一方、一対の固定リンク１２の下方にはそれぞれ、第二軸１７で下側リンク１８が枢着されており、この一対の下側リンク１８の上端部と上側リンク１５の下端部とがそれぞれ第三軸１９で枢着されている。
【００１４】
軸１３、第一軸１６、第二軸１７及び第三軸１９の間隔は、テーブル本体１４を水平な使用位置とほぼ垂直な収納位置との間に回動移動でき、かつ、テーブル本体１４を収納位置から使用位置に回動移動させるとき、第一軸１６、第三軸１９、第二軸１７が一直線上に並ぶ位置を超えて第三軸１９が回動した位置でテーブル本体１４が水平になるように設定されている（図３、図５参照）。つまり、テーブル本体１４を水平位置から収納位置に移動させるには、一端テーブル本体１４を水平位置から若干上昇させないと（軸１３を中心に自由端部を上昇回動させないと）、収納位置に移動させることができない。そして、第一軸１６、第三軸１９、第二軸１７が一直線上に並ぶ位置を超えて第三軸１９が回動しテーブル本体１４が水平になると、コ字状のチャンネル材からなる上側リンク１５の下端のストッパエッジ１５ａ（図３、図５）が同じくコ字状のチャンネル材からなる下側リンク１８の上面に当接してそれ以上の下側リンク１８の回動（図３、図５の時計方向への回動）が阻止される。つまり、ストッパエッジ１５ａと下側リンク１８は、ストッパ機構を構成している。
【００１５】
軸１３には、軸１３を中心にテーブル本体１４を使用位置方向に回動付勢するトーションばね２０が設けられ、第二軸１７には、下側リンク１８を同じく使用位置方向（図３、図５の時計方向）に回動付勢するトーションばね２１が設けられている。
【００１６】
第一軸１６は、テーブル本体１４に設けた一対のブラケット１４ａに回動自在に支持されており、一方のブラケット１４ａからの突出端に、揺動プレート２２ａが溶接固定されている。この揺動プレート２２ａには、第一軸１６との偏心位置に、第一軸１６と略平行に延びる操作レバー２２ｂが溶接固定されており、操作レバー２２ｂの先端部は、略直角に曲折された着力部２２ｃを構成している。
【００１７】
この操作部材２２の揺動プレート２２ａには、第一軸１６を中心とする円弧穴２２ｄが形成されており、この円弧穴２２ｄに、上側リンク１５に立設固定した、第一軸１６と平行な連動ピン１５ｂが嵌まっている。従って、操作部材２２と上側リンク１５とは、円弧穴２２ｄの有効長の範囲で相対回動可能である。
【００１８】
また、この操作部材２２は、揺動プレート２２ａに形成したばね掛け突起２２ｆと、ブラケット１４ａに形成したばね掛け突起１４ｂとの間に張設した引張コイルばね２３によって、図３、図５の反時計方向に回動付勢されている。第一軸１６には、テーブル本体１４の下面と当接して、引張コイルばね２３の力に抗してその回動端を規制するストッパ２２ｓが溶接固定されている。テーブル本体１４が使用位置にあるとき、上側リンク１５の連動ピン１５ｂは、円弧穴２２ｄの図３、図５の下側の端部に当接するように位置設定されている。従って、この操作部材２２（のストッパ２２ｓと円弧穴２２ｄ）と、上側リンク１５の連動ピン１５ｂもまた、テーブル本体１４を使用位置に保持するストッパ機構（下側リンク１８が図３、図５の位置から時計方向に回動するのを阻止するストッパ機構）を構成する。
【００１９】
一対の固定リンク１２を接続する接続板１２ａには、一対の弾性把持リップ２４ａを有する把持具２４（図１、図２、図５）が固定されている。この把持具２４は、収納位置に回動したテーブル本体１４の第一軸１６を把持し、トーションばね２０、２１の力に抗して、テーブル本体１４を収納位置に保持する。
【００２０】
上記構成の本サイドテーブル装置は、図３、図５の使用状態においては、上側リンク１５のストッパエッジ１５ａと下側リンク１８の当接及び連動ピン１５ｂと円弧穴２２ｄの当接により、下側リンク１８の同図時計方向への回動は阻止されており、また、テーブル本体１４に下方への力を加えても、下側リンク１８に同図の反時計方向の回動力は作用しない。従って、安定した水平状態でテーブル本体１４を使用できる。
【００２１】
一方、テーブル本体１４を収納するときには、操作部材２２の着力部２２ｃを持ち上げる。すると、円弧穴２２ｄと連動ピン１５ｂの関係によって、操作部材２２と一緒に上側リンク１５が時計方向に回動し、下側リンク１８が反時計方向に回動する。このとき、第三軸１９は一旦、第一軸１６、第三軸１９、第二軸１７が一直線上に位置する状態に達し（すなわち、テーブル本体１４の第一軸１６側の端部は一旦上昇し）、その後、テーブル本体１４が軸１３を中心に収納方向に回動する。そして、テーブル本体１４が収納位置に達すると、把持具２４が第一軸１６を把持して、収納位置にロックする。
【００２２】
テーブル本体１４が使用位置から収納位置に達する間に、上側リンク１５は、円弧穴２２ｄの有効長だけ操作部材２２に対して相対回動する。連動ピン１５ｂが円弧穴２２ｄの他方の回動端に当接すると、それ以後は操作部材２２が引張コイルばね２３を撓ませながら上側リンク１５と一緒に回動する。つまり、円弧穴２２ｄは、上側リンク１５がテーブル本体収納方向へ回動するとき、連動ピン１５ｂが該円弧穴２２ｄの他方の回動端に達し、その後、操作レバー２２ｃが上側リンク１５と一緒にテーブル本体下面と当接する方向に引き込まれる長さに形成されている。このため、操作部材２２の回動角は、上側リンク１５（テーブル本体１４）の回動角に比して小さくすることができ、図４に示すように、テーブル本体１４の下面に操作レバー２２ｂを収納することができる。
【００２３】
別言すると、テーブル本体１４を使用位置から収納位置に移動させる際、上側リンク１５に与えなければならない最低限の操作角は、第一軸１６、第二軸１７、第三軸１９が一直線上に並ぶ位置を超えて回動する角度である。その後は、テーブル本体１４に収納方向の力を与えることで収納できるから、円弧穴２２ｄの長さはこの作用が得られる範囲で大きくすることができる。
【００２４】
テーブル本体１４を収納状態から使用状態に回動させるには、テーブル本体１４に使用位置方向への力を加えて、把持具２４から第一軸１６を離脱させればよい。トーションばね２０と２１の力によりテーブル本体１４と下側リンク１８が使用位置方向に回動し、やがて、第一軸１６、第三軸１９、第二軸１７が一直線上に達する。この状態からさらにテーブル本体１４の第一軸１６側の端部が上昇すると、上側リンク１５のストッパエッジ１５ａと下側リンク１８が当接してストッパが働く。またこの間に、操作部材２２のストッパ２２ｓがテーブル本体１４の下面に当接してその回動端が規制され、円弧穴２２ｄの一端に連動ピン１５ｂが当接して同じくストッパが働く。
【００２５】
以上の実施形態では、テーブル本体１４の使用位置でのストッパ機構は、ストッパエッジ１５ａと下側リンク１８、及び円弧穴２２ｄと連動ピン１５ｂの二カ所に存在するが、一方のみとしてもよい。ストッパエッジ１５ａと下側リンク１８によるストッパ機構だけとする場合には、操作部材２２の回動付勢方向を以上の実施形態とは逆にして、回動付勢力で連動ピン１５ｂが円弧穴２２ｄの端部に当接するようにしてもよい。
【００２６】
【発明の効果】
本発明によれば、シート側部に起倒可能に設けたテーブル本体を使用位置と収納位置とに移動させるに際し、操作部材の操作角が小さく、操作性に優れた車両用サイドテーブル装置を得ることができる。
【図面の簡単な説明】
【図１】本発明による車両用サイドテーブル装置の一実施形態を示す分解斜視図である。
【図２】図１の車両用サイドテーブル装置の使用状態における側面図である。
【図３】同使用状態の正面図である。
【図４】同収納状態の正面図である。
【図５】同使用状態の一部を削除した正面図である。
【図６】車両用サイドテーブル装置を有するシートの斜視図である。
【符号の説明】
１１    シート
１２    固定リンク
１２ａ  接続板
１３    軸
１４    テーブル本体
１４ａ  ブラケット
１４ｂ  ばね掛け突起
１５    上側リンク
１５ａ  ストッパエッジ
１５ｂ  連動ピン
１５ｃ  接続板
１６    第一軸
１７    第二軸
１８    下側リンク
１９    第三軸
２０    トーションばね
２１    トーションばね
２２  操作部材
２２ａ  揺動プレート
２２ｂ  操作レバー
２２ｃ  着力部
２２ｄ  円弧穴
２２ｆ  ばね掛け突起
２２ｓ  ストッパ
２３    引張コイルばね
２４    把持具
２４ａ  弾性把持リップ
【図１】
2004182142.tif 000003
【図２】
2004182142.tif 000004
【図３】
2004182142.tif 000005
【図４】
2004182142.tif 000006
【図５】
2004182142.tif 000007
【図６】
2004182142.tif 000008